(57)【要約】  画質劣化現象を抑止乃至制限することのできる動画像通信装置、ゲートウェイ、及び、これらを含んで構成される動画像通信システムを提供する。  動画像受信復号化装置２から動画像符号化送信装置３に制御情報１４１を所定の時間間隔で送信する。動画像符号化送信装置３は制御情報１４１に基づいて、フレーム内符号化モードで符号化することにより、伝送エラーによって生じた画質劣化の後続フレームへの伝播を抑止し、所定の間隔毎に画質のリフレッシュ動作を行う。動画像符号化送信装置３は、伝送エラーによって画質劣化が生じているにも拘らず正常に復号できたと誤認識した場合でも、上記制御情報１４１を受信した場合は、画質劣化を回復すべく所定の間隔毎に画質のリフレッシュ動作を行う。【特許請求の範囲】
【請求項１】
動画像符号化送信装置により所定の動画像圧縮符号化方式で符号化されたビットストリームを復号する動画像受信復号化装置であって、
前記動画像符号化送信装置の動作を制御するための制御情報を作成する制御情報作成部と、
前記制御情報を動画像符号化送信装置に送信する制御情報送信部と、
を有することを特徴とする動画像受信復号化装置。
【請求項２】
前記制御情報作成部は、前記制御情報を所定の間隔で作成すること、
を特徴とする請求項１に記載の動画像受信復号化装置。
【請求項３】
前記制御情報作成部は、前記制御情報として、ＩＴＵ−Ｔ勧告Ｈ．２４５で規定するメッセージを使用すること、
を特徴とする請求項１又は２に記載の動画像受信復号化装置。
【請求項４】
前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項１又は２に記載の動画像受信復号化装置。
【請求項５】
前記制御情報作成部は、前記制御情報として、ＲＦＣ３２６１勧告ＳＩＰ（ＳｅｓｓｉｏｎＩｎｉｔｉａｔｉｏｎＰｒｏｔｏｃｏｌ）で規定するメソッドを使用すること、
を特徴とする請求項１又は２に記載の動画像受信復号化装置。
【請求項６】
前記制御情報作成部は、前記制御情報として、ＲＦＣ３２６１勧告ＳＩＰで規定するＩＮＦＯメソッドを使用すること、
を特徴とする請求項１又は２に記載の動画像受信復号化装置。
【請求項７】
映像信号を所定の動画像圧縮符号化方式で符号化してビットストリームを送信する動画像符号化送信装置であって、
前記動画像符号化送信装置の動作を制御するための制御情報を受信する制御情報受信部と、
前記制御情報を解析して、前記符号化処理を制御するための符号化制御情報を出力する制御情報解析部と、
前記符号化制御情報に基づいて、前記符号化処理を実行する動画像符号化部と、
を有することを特徴とする動画像符号化送信装置。
【請求項８】
前記動画像符号化部は、
前記符号化制御情報に基づいて、フレームの少なくとも一部をフレーム内符号化モードで符号化すること、
を特徴とする請求項７に記載の動画像符号化送信装置。
【請求項９】
前記制御情報解析部は、前記制御情報として、ＩＴＵ−Ｔ勧告Ｈ．２４５で規定するメッセージを解析可能とすること、
を特徴とする請求項７又は８に記載の動画像符号化送信装置。
【請求項１０】
前記制御情報解析部は、前記制御情報として、ＩＴＵ−Ｔ勧告Ｈ．２４５で規定するｖｉｄｅｏＦａｓｔＵｐｄａｔｅメッセージを解析可能とすること、
を特徴とする請求項７又は８に記載の動画像符号化送信装置。
【請求項１１】
前記制御情報解析部は、前記制御情報として、ＲＦＣ３２６１勧告ＳＩＰで規定するメソッドを解析可能とすること、
を特徴とする請求項７又は８に記載の動画像符号化送信装置。
【請求項１２】
前記制御情報解析部は、前記制御情報として、ＲＦＣ３２６１勧告ＳＩＰで規定するＩＮＦＯメソッドを解析可能とすること、
を特徴とする請求項７又は８に記載の動画像符号化送信装置。
【請求項１３】
動画像符号化送信装置により所定の動画像圧縮符号化方式で符号化されたビットストリームを復号する動画像受信復号化装置であって、
前記動画像符号化送信装置の動作を制御するための制御情報を作成する制御情報作成部と、
前記制御情報を動画像符号化送信装置に送信する制御情報送信部と、
前記受信したビットストリームから算出される伝送帯域情報に基づいて、前記制御情報作成部を制御する制御情報作成コマンドを出力する伝送帯域判定部と、
を有することを特徴とする動画像受信復号化装置。
【請求項１４】
前記伝送帯域判定部は、前記伝送帯域情報に基づいて、前記制御情報作成部の動作間隔の変更を指示する前記制御情報作成コマンドを出力し、
前記制御情報作成部は、前記制御情報作成コマンドに基づいて、前記制御情報を作成する間隔を変更すること、
を特徴とする請求項１３に記載の動画像受信復号化装置。
【請求項１５】
前記伝送帯域判定部は、前記伝送帯域情報に基づいて、前記制御情報作成部の動作開始を指示する前記制御情報作成コマンドを出力し、
前記制御情報作成部は、前記制御情報作成コマンドが入力された場合に限り、前記制御情報を作成すること、
を特徴とする請求項１３に記載の動画像受信復号化装置。
【請求項１６】
前記制御情報作成部は、前記制御情報として、ＩＴＵ−Ｔ勧告Ｈ．２４５で規定するメッセージを使用すること、
を特徴とする請求項１３乃至１５いずれか一に記載の動画像受信復号化装置。
【請求項１７】
前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項１３乃至１５いずれか一に記載の動画像受信復号化装置。
【請求項１８】
前記制御情報作成部は、前記制御情報として、ＲＦＣ３２６１勧告ＳＩＰで規定するメソッドを使用すること、
を特徴とする請求項１３乃至１５いずれか一に記載の動画像受信復号化装置。
【請求項１９】
前記制御情報作成部は、前記制御情報として、ＲＦＣ３２６１勧告ＳＩＰで規定するＩＮＦＯメソッドを使用すること、
を特徴とする請求項１３乃至１５いずれか一に記載の動画像受信復号化装置。
【請求項２０】
映像信号を所定の動画像圧縮符号化方式で符号化してビットストリームを送信する動画像符号化送信装置であって、
前記動画像符号化送信装置の動作を制御するための制御情報を受信する制御情報受信部と、
前記制御情報を解析して、前記符号化処理を制御するための符号化制御情報を出力する制御情報解析部と、
前記符号化制御情報に基づいて、前記符号化処理を実行する動画像符号化部と、
前記送信したビットストリームから算出される伝送帯域情報に基づいて、前記制御情報解析部を制御する符号化制御情報作成コマンドを出力する伝送帯域判定部と、
を有することを特徴とする動画像符号化送信装置。
【請求項２１】
前記制御情報解析部は、前記符号化制御情報作成コマンドが入力された場合に限り、前記制御情報を解析し、前記符号化制御情報を出力すること、
を特徴とする請求項２０に記載の動画像符号化送信装置。
【請求項２２】
前記動画像符号化部は、
前記符号化制御情報に基づいて、フレームの少なくとも一部をフレーム内符号化モードで符号化すること、
を特徴とする請求項２０又は２１に記載の動画像符号化送信装置。
【請求項２３】
前記制御情報解析部は、前記制御情報として、ＩＴＵ−Ｔ勧告Ｈ．２４５で規定するメッセージを解析可能とすること、
を特徴とする請求項２０乃至２２いずれか一に記載の動画像符号化送信装置。
【請求項２４】
前記制御情報解析部は、前記制御情報として、ＩＴＵ−Ｔ勧告Ｈ．２４５で規定するｖｉｄｅｏＦａｓｔＵｐｄａｔｅメッセージを解析可能とすること、
を特徴とする請求項２０乃至２２いずれか一に記載の動画像符号化送信装置。
【請求項２５】
前記制御情報解析部は、前記制御情報として、ＲＦＣ３２６１勧告ＳＩＰで規定するメソッドを解析可能とすること、
を特徴とする請求項２０乃至２２いずれか一に記載の動画像符号化送信装置。
【請求項２６】
前記制御情報解析部は、前記制御情報として、ＲＦＣ３２６１勧告ＳＩＰで規定するＩＮＦＯメソッドを解析可能とすること、
を特徴とする請求項２０乃至２２いずれか一に記載の動画像符号化送信装置。
【請求項２７】
動画像符号化送信装置により所定の動画像圧縮符号化方式で符号化されたビットストリームが送受信されるネットワーク間を相互接続するゲートウェイであって、
前記動画像符号化送信装置の動作を制御するための制御情報を作成する制御情報作成部と、
前記制御情報を動画像符号化送信装置に送信する制御情報送信部と、
を有することを特徴とするゲートウェイ。
【請求項２８】
前記制御情報作成部は、前記制御情報を所定の間隔で作成すること、
を特徴とする請求項２７に記載のゲートウェイ。
【請求項２９】
前記制御情報作成部は、前記制御情報として、ＩＴＵ−Ｔ勧告Ｈ．２４５で規定するメッセージを使用すること、
を特徴とする請求項２７又は２８に記載のゲートウェイ。
【請求項３０】
前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項２７又は２８に記載のゲートウェイ。
【請求項３１】
前記制御情報作成部は、ＲＦＣ３２６１勧告ＳＩＰで規定するメソッドを使用すること、
を特徴とする請求項２７又は２８に記載のゲートウェイ。
【請求項３２】
前記制御情報作成部は、前記制御情報として、ＲＦＣ３２６１勧告ＳＩＰで規定するＩＮＦＯメソッドを使用すること、
を特徴とする請求項２７又は２８に記載のゲートウェイ。
【請求項３３】
動画像符号化送信装置により所定の動画像圧縮符号化方式で符号化されたビットストリームが送受信されるネットワーク間を相互接続するゲートウェイであって、
前記動画像符号化送信装置の動作を制御するための制御情報を作成する制御情報作成部と、
前記制御情報を動画像符号化送信装置に送信する制御情報送信部と、
前記受信したビットストリームから算出される伝送帯域情報に基づいて、前記制御情報作成部を制御する制御情報作成コマンドを出力する伝送帯域判定部と、
を有することを特徴とするゲートウェイ。
【請求項３４】
前記伝送帯域判定部は、前記伝送帯域情報に基づいて、前記制御情報作成部の動作間隔の変更を指示する前記制御情報作成コマンドを出力し、
前記制御情報作成部は、前記制御情報作成コマンドに基づいて、前記制御情報を作成する間隔を変更すること、
を特徴とする請求項３３に記載のゲートウェイ。
【請求項３５】
前記伝送帯域判定部は、前記伝送帯域情報に基づいて、前記制御情報作成部の動作開始を指示する前記制御情報作成コマンドを出力し、
前記制御情報作成部は、前記制御情報作成コマンドが入力された場合に限り、前記制御情報を作成すること、
を特徴とする請求項３３に記載のゲートウェイ。
【請求項３６】
前記制御情報作成部は、前記制御情報として、ＩＴＵ−Ｔ勧告Ｈ．２４５で規定するメッセージを使用すること、
を特徴とする請求項３３乃至３５いずれか一に記載のゲートウェイ。
【請求項３７】
前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項３３乃至３５いずれか一に記載のゲートウェイ。
【請求項３８】
前記制御情報作成部は、前記制御情報として、ＲＦＣ３２６１勧告ＳＩＰで規定するメソッドを使用すること、
を特徴とする請求項３３乃至３５いずれか一に記載のゲートウェイ。
【請求項３９】
前記制御情報作成部は、前記制御情報として、ＲＦＣ３２６１勧告ＳＩＰで規定するＩＮＦＯメソッドを使用すること、
を特徴とする請求項３３乃至３５いずれか一に記載のゲートウェイ。
【請求項４０】
請求項１乃至６、１３乃至１９いずれか一に記載の動画像受信復号化装置と、
請求項７乃至１２、２０乃至２６いずれか一に記載の動画像符号化送信装置と、
を接続してなることを特徴とする動画像通信システム。
【請求項４１】
請求項２７乃至３９いずれか一に記載のゲートウェイと、
請求項７乃至１２、２０乃至２６いずれか一に記載の動画像符号化送信装置と、
を含むことを特徴とする動画像通信システム。
【請求項４２】
映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、前記動画像符号化送信装置の動作を制御するための制御情報を作成し、動画像符号化送信装置に対して送信するステップと、
前記動画像符号化送信装置が、前記制御情報を解析して、前記符号化処理を制御するための符号化制御情報を出力し、前記符号化制御情報に基づいて、前記符号化処理を実行するステップと、
前記動画像受信復号化装置が、前記符号化制御情報に基づいて、前記符号化処理されたビットストリームを復号するステップと、を含むこと、
を特徴とする動画像通信方法。
【請求項４３】
映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、前記動画像符号化送信装置の動作を制御するための制御情報を作成し、動画像符号化送信装置に対して送信するステップと、
前記動画像符号化送信装置が、前記制御情報を解析して、前記符号化処理を制御するための符号化制御情報を出力し、前記符号化制御情報に基づいて、前記符号化処理を実行するステップと、
前記動画像受信復号化装置が、前記符号化制御情報に基づいて、前記符号化処理されたビットストリームを復号するとともに、前記受信したビットストリームから算出される伝送帯域情報を、制御情報の作成処理にフィードバックするステップと、を含み、
前記動画像受信復号化装置が、受信帯域に応じた画質のリフレッシュ動作を要求すること、
を特徴とする動画像通信方法。
【請求項４４】
映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、前記動画像符号化送信装置の動作を制御するための制御情報を作成し、動画像符号化送信装置に対して送信するステップと、
前記動画像符号化送信装置が、前記制御情報を解析して、符号化処理を制御するための符号化制御情報を出力するステップと、
前記動画像符号化送信装置が、前記符号化制御情報と送信したビットストリームから算出される伝送帯域情報に基づいて、前記符号化処理を実行するステップと、
前記動画像受信復号化装置が、前記符号化制御情報に基づいて、前記符号化処理されたビットストリームを復号するステップと、を含み、
前記動画像符号化送信装置が、受信側からの制御情報と送信帯域に応じて画質のリフレッシュ動作を実行すること、
を特徴とする動画像通信方法。
【発明の詳細な説明】
【技術分野】
【０００１】
本発明は、映像の送受信に用いる動画像通信装置、ゲートウェイ、及び、これらを含んで構成される動画像通信システムに関する。
【背景技術】
【０００２】
近年、動画像信号を圧縮符号化して少ない帯域で効率良く伝送する方法として、ＩＴＵ−Ｔ（Ｉｎｔｅｒｎａｔｉｏｎａｌ Ｔｅｌｅｃｏｍｍｕｎｉｃａｔｉｏｎ Ｕｎｉｏｎ Ｔｅｌｅｃｏｍｍｕｎｉｃａｔｉｏｎ Ｓｔａｎｄａｒｄｉｚａｔｉｏｎ Ｓｅｃｔｏｒ）勧告Ｈ．２６１およびＨ．２６３、或いは、ＩＳＯ（Ｉｎｔｅｒｎａｔｉｏｎａｌ Ｏｒｇａｎｉｚａｔｉｏｎ ｏｆ Ｓｔａｎｄａｒｄｉｚａｔｉｏｎ）／ＩＥＣ（Ｉｎｔｅｒｎａｔｉｏｎａｌ Ｅｌｅｃｔｒｏｔｅｃｈｎｉｃａｌ Ｃｏｍｍｉｓｓｉｏｎ）において、国際標準化されているＭＰＥＧ−４（Ｍｏｖｉｎｇ Ｐｉｃｔｕｒｅ Ｅｘｐｅｒｔ Ｇｒｏｕｐ−４）等が知られている。【０００３】
上記Ｈ．２６１及びＨ．２６３、或いは、ＭＰＥＧ−４等の動画像圧縮符号化方式の一般的な特徴として、先頭のフレームに対してはフレーム内符号化を行い、その後に続くフレームに対してはフレーム間予測符号化を行っている。フレーム内符号化では、各々のフレーム内での空間的冗長度を利用するのに対して、フレーム間予測符号化では、各々のフレーム内での空間的冗長度に加えて、現在のフレームと以前のフレーム間での時間的冗長度も利用している。【０００４】
さらに、上記Ｈ．２６１及びＨ．２６３、或いは、ＭＰＥＧ−４等の動画像圧縮符号化方式では、ハフマン符号による可変長符号化が使用されている。従って、これら方式では、圧縮されたパラメータ及び係数に対して、発生頻度の高い値には短い符号を、発生頻度の低い値には長い符号を割り当てることにより、効率的な圧縮符号化の実現が図られている。【０００５】
こうしてエンコーダで圧縮符号化されたビットストリームを、ネットワークを介して、デコーダに伝送する際に、伝送エラーが発生する。伝送エラーは、ネットワークがパケット交換網の場合にはパケットロスとして現れ、ネットワークが回線交換網の場合にはビットエラーとして現れる。これらの伝送エラーによって、デコーダで復号化された映像信号に画質の劣化が生じる。さらに、無線通信ネットワークでは、伝送エラーがバースト的に発生するため、復号化された映像信号の画質劣化がより著しいものとなる。【０００６】
上記した伝送エラーに対する対策として、例えば、特開２００２−１３５３００号公報には、送受信されるビットストリームのサービス品質（ＱｏＳ）を監視するサービス管理装置を設けて、サービス品質の劣化を検知した場合に、サービス品質の高いリソースを確保する技術が紹介されている。
【特許文献１】特開２００２−１３５３００号公報
【発明の開示】
【発明が解決しようとする課題】
【０００７】
そもそも、動画像圧縮符号化方式は、上述したとおり、先頭のフレームに対してはフレーム内符号化を行い、その後に続くフレームに対してはフレーム間予測符号化を行うものであるため、空間方向および時間方向の両面に渡って伝送エラーによる影響が広がり、発生した画質劣化が後続のフレームにも伝播するという問題点がある。【０００８】
また、動画像圧縮符号化方式における符号化は、上述したとおり、ハフマン符号による可変長符号化を使用しているため、復号すべきビットパターンに伝送エラーが混入しても、伝送エラーが混入したビットパターンとハフマン符号の組み合わせが一致する可能性がある。この場合、伝送エラーによって画質劣化が発生しているにも拘らず、正常に復号できたと誤認識し、画質劣化を検知できないという問題点が生じている。【０００９】
本発明は、上記した事情に鑑みてなされたものであって、その目的とするところは、上記した動画像圧縮符号化方式において、画質劣化現象を抑止乃至制限することのできる動画像通信装置、ゲートウェイ、及び、これらを含んで構成される動画像通信システムを提供することにある。【００１０】
また、本発明は、併せて、上記した可変長符号化から派生する伝送エラーの誤認識への対策を施した動画像通信装置、ゲートウェイ、及び、これらを含んで構成される動画像通信システムを提供することをも目的とする。
【課題を解決するための手段】
【００１１】
前記課題を解決するための手段を提供する本発明の第１の視点によれば、動画像符号化送信装置により所定の動画像圧縮符号化方式で符号化されたビットストリームを復号する動画像受信復号化装置又はゲートウェイであって、制御情報作成部と、制御情報送信部とを備えて、リフレッシュ動作を指示制御して、意図する画質に回復させることのできる装置が提供される。まず、前記制御情報作成部が、前記動画像符号化送信装置の動作を制御するための制御情報を作成する。続いて、前記制御情報送信部が、前記制御情報を動画像符号化送信装置に向けて送信し、動画像符号化送信装置をして、所望の動作を行わせる。【００１２】
また、本発明の第２の視点によれば、映像信号を所定の動画像圧縮符号化方式で符号化してビットストリームを送信する動画像符号化送信装置であって、制御情報受信部と、制御情報解析部と、動画像符号化部と、を備えて、リフレッシュ動作を行って、意図する画質に回復することのできる動画像符号化送信装置が提供される。まず、前記制御情報受信部が、上記した所定の制御情報を受信すると、前記制御情報解析部が前記符号化処理を制御するための符号化制御情報を出力する。続いて、前記動画像符号化部が、前記符号化制御情報に基づいて、符号化処理を実行する。【００１３】
また、本発明の第３の視点によれば、動画像受信復号化装置又はゲートウェイと、動画像符号化送信装置とにより、動画像通信を行う動画像通信システムが提供される。【００１４】
また、本発明の第４の視点によれば、上述した動画像受信復号化装置又はゲートウェイと、動画像符号化送信装置とにより、動画像通信を行う方法が提供される。即ち、映像信号を所定の動画像圧縮符号化方式で符号化してビットストリームを送信する動画像符号化送信装置と、ビットストリームを復号する動画像受信復号化装置の組による動画像通信方法が提供される。まず、前記動画像受信復号化装置が、前記動画像符号化送信装置の動作を制御するための制御情報を作成し、動画像符号化送信装置に対して送信する。次いで、前記動画像符号化送信装置が、前記制御情報を解析して、前記符号化処理を制御するための符号化制御情報を出力し、前記符号化制御情報に基づいて、前記符号化処理を実行する。更に、前記動画像受信復号化装置が、前記符号化制御情報に基づいて、前記符号化処理されたビットストリームを復号する。
【発明の効果】
【００１５】
本発明によれば、伝送エラーにより生じた映像の画質劣化、及び、その伝播を抑止すること、また仮に、映像の画質が伝送エラーによって劣化しているにも拘らず正常に復号できたと誤認識した場合でも、可及的速やかに、意図する画質に回復させることが可能となる。その理由は、動画像受信復号化装置又はゲートウェイから動画像符号化送信装置を制御する制御情報を送信することとして、動画像符号化送信装置をして、冗長度の少ない符号化方式に変更させる等の措置を採らせるようにしたためである。
【図面の簡単な説明】
【００１６】
【図１】本発明に係る動画像通信システムの一の構成例を表したブロック図である。
【図２】本発明の第１の実施例に係る動画像受信復号化装置の詳細構成を表したブロック図である。
【図３】本発明の第１の実施例に係る動画像符号化送信装置の詳細構成を表したブロック図である。
【図４】本発明の第２の実施例に係る動画像受信復号化装置の詳細構成を表したブロック図である。
【図５】本発明の第３の実施例に係る動画像符号化送信装置の詳細構成を表したブロック図である。
【図６】本発明に係る動画像通信システムの別の構成例を表したブロック図である。
【図７】本発明の第４の実施例に係る伝送路間ゲートウェイの詳細構成を表したブロック図である。
【図８】本発明の第５の実施例に係る伝送路間ゲートウェイの詳細構成を表したブロック図である。
【符号の説明】
【００１７】
１    伝送路
１３１    送信符号化ビットストリーム
１３２    受信符号化ビットストリーム
１４１    送信制御情報
１４２    受信制御情報
２、４    動画像受信復号化装置
３、５    動画像符号化送信装置
２１、４１    動画像符号化データ受信部
２２    動画像復号化部
２３、４３    制御情報作成部
２４    制御情報送信部
２５１    符号化データ
２５２    制御コマンド
３１    動画像符号化部
３２、５２    動画像符号化データ送信部
３３    制御情報受信部
３４、５４    制御情報解析部
３５１    制御コマンド
３５２    符号化制御情報
３５３    符号化データ
４５    伝送帯域判定部
４６１    伝送帯域情報
４６２    制御情報作成コマンド
５５    送信帯域判定部
５６１    送信帯域情報
５６２    符号化制御情報作成コマンド
６５１    再送信符号化ビットストリーム
７、８    伝送路間ゲートウェイ
７２    動画像符号化データ送信部
【発明を実施するための最良の形態】
【００１８】
続いて、本発明の最良の形態について説明する。本発明は、その好ましい実施の形態において、動画像受信復号化装置（図１の２）と動画像符号化送信装置（図１の３）とを伝送路（図１の１）を介して接続してなる動画像通信システムの形態で具現される。【００１９】
動画像受信復号化装置（図２参照）は、動画像符号化送信装置の動作を制御するための制御情報を作成する制御情報作成部（図２の２３）と、制御情報作成部から受け取った制御情報を動画像符号化送信装置に向けて送信する制御情報送信部（図２の２４）とを備える。【００２０】
一方、本発明に係る動画像符号化送信装置（図３参照）は、前記動画像受信復号化装置から送信される制御情報を受信する制御情報受信部（図３の３３）と、制御情報受信部から受け取った制御情報を解析して、動画像符号化部の動作を制御するための符号化制御情報を出力する制御情報解析部（図３の３４）と、制御情報解析部から受け取った符号化制御情報に基づいて、符号化動作を制御する動画像符号化部（図３の３１）とを備える。【００２１】
上記動画像通信システムの動作を説明すると、映像の再生側となる動画像受信復号化装置の制御情報作成部（図２の２３）は、動画像符号化送信装置を制御するために予め定めた制御コマンドを、所定の時間間隔或いは所定のフレーム間隔毎に作成する。続いて、制御情報送信部（図２の２４）は、制御情報作成部（図２の２３）が作成した制御コマンドを使用して送信制御情報を作成し、動画像符号化送信装置が受信可能なように伝送路に送信する。【００２２】
一方、映像の送信側となる動画像符号化送信装置の制御情報受信部（図３の３３）は、伝送路を介して、前記した動画像受信復号化装置から制御情報を受信する。より具体的には、制御情報受信部（図３の３３）は、制御情報から伝送される際に付与されたヘッダ情報等を削除し、制御コマンドを取得し、出力する。【００２３】
制御情報解析部（図３の３４）は、制御情報受信部（図３の３３）によって出力された制御コマンドを復号し符号化制御情報を出力して、制御情報解析動作を実行する。【００２４】
動画像符号化部（図３の３１）は、所定の方式によって動画像信号の圧縮符号化処理を行うに際して、前記符号化制御情報を参照し、画面の少なくとも一部について、フレーム間予測符号化モードからフレーム内符号化モードに符号化モードを切り替えるように動作する。【００２５】
以上の動画像通信システムによれば、所定の時間間隔乃至フレーム間隔毎に、絶えずリフレッシュ動作が行われ、伝送エラーの発生、また特に、その伝播を制限することが可能となる。
【実施例１】
【００２６】
次に、本発明の第１の実施例について、図１、図２、図３を参照して詳細に説明する。図１は、本発明に係る動画像通信システムの一構成例を表したブロック図である。図１を参照すると、本実施例に係る動画像通信システムは、伝送路１、動画像受信復号化装置２、動画像符号化送信装置３とから構成される。【００２７】
伝送路１は、回線交換網又はパケット交換網であり、有線、無線のいずれであっても構わない。【００２８】
動画像符号化送信装置３は、動画像信号を入力して、ＩＴＵ−Ｔ勧告Ｈ．２６１、Ｈ．２６３、或いは、ＩＳＯ／ＩＥＣ勧告ＭＰＥＧ−４等の動画像圧縮符号化方式によって圧縮符号化し、伝送路１に送信符号化ビットストリーム１３１を送信するマルチメディアデータの符号化送信装置である。また、動画像符号化送信装置３は、伝送路１を介して、動画像受信復号化装置２が送信する送信制御情報１４１に対応する受信制御情報１４２を受信し、制御コマンドを解析した結果を用いて符号化処理を行う機能も有している。【００２９】
動画像受信復号化装置２は、伝送路１を介して、動画像符号化送信装置３が送信する送信符号化ビットストリーム１３１に対応する受信符号化ビットストリーム１３２を受信し、復号するマルチメディアデータの受信復号化装置である。また、動画像受信復号化装置２は、後述する動画像符号化送信装置３を制御する制御コマンドを作成し、伝送路１に送信制御情報１４１を送信する機能も有している。以下、動画像受信復号化装置２は、例えば３ＧＰＰ（Ｔｈｉｒｄ  Ｇｅｎｅｒａｔｉｏｎ  Ｐａｒｔｎｅｒ  Ｐｒｏｊｅｃｔ）勧告の３Ｇ−３２４Ｍ、或いは、ＩＴＵ−Ｔ勧告のＨ．３２３に準拠しているものとしてそれぞれ説明する。【００３０】
図２は、動画像受信復号化装置２の詳細な構成を表したブロック図である。図２を参照すると、動画像符号化データ受信部２１は、伝送路１からＩＴＵ−Ｔ勧告Ｈ．２６１、Ｈ．２６３、或いは、ＩＳＯ／ＩＥＣ勧告ＭＰＥＧ−４等の動画像圧縮符号化方式を使用して圧縮符号化された受信符号化ビットストリーム１３２を受信する。また、動画像符号化データ受信部２１は、受信符号化ビットストリーム１３２から伝送される際に付与されたヘッダ情報等を削除し、符号化データ２５１を取得する。【００３１】
なお、動画像符号化データ受信部２１は、例えば伝送路１が回線交換網であり、動画像受信復号化装置２が３ＧＰＰ勧告３Ｇ−３２４Ｍに準拠している場合は、ＩＴＵ−Ｔ勧告Ｈ．２２３準拠で構成される。また例えば、伝送路１がパケット交換網であり、動画像受信復号化装置２がＩＴＵ−Ｔ勧告Ｈ．３２３に準拠している場合は、ＲＴＰ（Ｒｅａｌｔｉｍｅ Ｔｒａｎｓｐｏｒｔ Ｐｒｏｔｏｃｏｌ）パケット受信部として構成される。【００３２】
動画像復号化部２２は、動画像符号化データ受信部２１から受け取った符号化データ２５１を復号する。【００３３】
制御情報作成部２３は、動画像符号化送信装置３を制御するための制御コマンド２５２を予め定められた時間間隔或いはフレーム間隔で作成する。【００３４】
なお、制御情報作成部２３は、例えば、ＩＴＵ−Ｔ勧告Ｈ．２４５準拠で構成される。この場合、制御コマンド２５２は、例えば、ＩＴＵ−Ｔ勧告Ｈ．２４５で規定されているｖｉｄｅｏＦａｓｔＵｐｄａｔｅＰｉｃｔｕｒｅメッセージやｖｉｄｅｏＦａｓｔＵｐｄａｔｅＧＯＢメッセージ等（これらをｖｉｄｅｏＦａｓｔＵｐｄａｔｅメッセージという）の制御コマンドが用いられる。【００３５】
制御情報送信部２４は、制御情報作成部２３が出力した制御コマンド２５２を使用して送信制御情報１４１を作成し、伝送路１に向けて送信する。【００３６】
なお、制御情報送信部２４は、例えば伝送路１が回線交換網で動画像受信復号化装置２が３ＧＰＰ勧告３Ｇ−３２４Ｍに準拠している場合は、ＩＴＵ−Ｔ勧告Ｈ．２２３準拠となる。また例えば、伝送路１がパケット交換網で動画像受信復号化装置２がＩＴＵ−Ｔ勧告Ｈ．３２３に準拠している場合は、ＲＴＰパケット送信部として構成される。【００３７】
図３は、動画像符号化送信装置３の詳細な構成を表したブロック図である。図３を参照すると、動画像符号化部３１は、動画像信号を入力し、ＩＴＵ−Ｔ勧告Ｈ．２６１、Ｈ．２６３、或いは、ＩＳＯ／ＩＥＣ勧告ＭＰＥＧ−４等の動画像圧縮符号化方式を使用して圧縮符号化し、符号化データ３５３を作成する。また圧縮符号化する際、動画像符号化部３１は、後述する制御情報解析部３４から受信した符号化制御情報３５２を参照して、画面の少なくとも一部の符号化モードを、フレーム間予測符号化モードからフレーム内符号化モードに切り替えるように動作する。【００３８】
動画像符号化データ送信部３２は、動画像符号化部３１から受け取った符号化データ３５３を使用して送信符号化ビットストリーム１３１を作成し、伝送路１に送信する。【００３９】
なお、動画像符号化データ送信部３２は、例えば、伝送路１が回線交換網であり、動画像受信復号化装置２が３ＧＰＰ勧告３Ｇ−３２４Ｍに準拠している場合は、ＩＴＵ−Ｔ勧告Ｈ．２２３準拠となる。また例えば、伝送路１がパケット交換網であり、動画像受信復号化装置２がＩＴＵ−Ｔ勧告Ｈ．３２３に準拠している場合は、ＲＴＰパケット送信部として構成される。【００４０】
制御情報受信部３３は、伝送路１から、送信制御情報１４１に対応する受信制御情報１４２を受信する。そして、制御情報受信部３３は、受信制御情報１４２から伝送される際に付与されたヘッダ情報等を削除し、制御コマンド３５１を取得する。【００４１】
なお、制御情報受信部３３は、例えば伝送路１が回線交換網であり、動画像受信復号化装置２が３ＧＰＰ勧告３Ｇ−３２４Ｍに準拠している場合は、ＩＴＵ−Ｔ勧告Ｈ．２２３準拠となる。また例えば、伝送路１がパケット交換網でであり、動画像受信復号化装置２がＩＴＵ−Ｔ勧告Ｈ．３２３に準拠している場合は、ＲＴＰパケット受信部として構成される。【００４２】
制御情報解析部３４は、制御情報受信部３３から受け取った制御コマンド３５１を復号し、動画像符号化部３１に符号化制御情報３５２を出力する。【００４３】
なお、制御情報解析部３４は、例えばＩＴＵ−Ｔ勧告Ｈ．２４５で構成される。この場合、制御コマンド３５１は、例えばＩＴＵ−Ｔ勧告Ｈ．２４５で規定されているｖｉｄｅｏＦａｓｔＵｐｄａｔｅメッセージが用いられる。例えば、制御コマンド３５１がＩＴＵ−Ｔ勧告Ｈ．２４５で規定されているｖｉｄｅｏＦａｓｔＵｐｄａｔｅＰｉｃｔｕｒｅメッセージである場合、符号化制御情報３５２は、動画像符号化部３１にフレーム全体をフレーム内符号化モードで符号化するよう指示する内容となる。【００４４】
以上のとおり、動画像受信復号化装置２の制御情報作成部２３及び制御情報送信部２４により、所定の時間間隔或いはフレーム間隔毎に、動画像符号化送信装置３を制御するための制御情報が作成・送信され、動画像符号化送信装置３の制御情報受信部３３及び制御情報解析部３４により、制御情報が受信・解析され、その結果に応じて、動画像符号化部３１の符号化モードが切り替えられる。従って、所定の時間間隔或いはフレーム間隔毎に、リフレッシュ動作が行われることになり、伝送エラーの発生、また特に、その伝播が確実に抑止される。
【実施例２】
【００４５】
続いて、本発明の第２の実施例について、図１、図３、図４を参照して、詳細に説明する。本発明の第２の実施例は、上記した本発明の第１の実施例と同様のシステム構成であり、以下、第１の実施例と共通する部分は省略し、その相違する部分について説明する。【００４６】
図４は、本発明の第２の実施例に係る動画像受信復号化装置の詳細な構成を表したブロック図である。図４を参照すると、動画像符号化データ受信部４１は、伝送路１からＩＴＵ−Ｔ勧告Ｈ．２６１、Ｈ．２６３、或いは、ＩＳＯ／ＩＥＣ勧告ＭＰＥＧ−４等の動画像圧縮符号化方式を使用して圧縮符号化された受信符号化ビットストリーム１３２を受信する。また、動画像符号化データ受信部４１は、受信符号化ビットストリーム１３２から伝送される際に付与されたヘッダ情報等を削除し、符号化データ２５１を取得する。更に、動画像符号化データ受信部４１は、受信符号化ビットストリーム１３２から伝送帯域を算出し、伝送帯域情報４６１を出力する。【００４７】
なお、動画像符号化データ受信部４１は、例えば伝送路１が回線交換網で動画像受信復号化装置４が３ＧＰＰ勧告３Ｇ−３２４Ｍに準拠している場合は、ＩＴＵ−Ｔ勧告Ｈ．２２３準拠で構成される。また例えば、伝送路１がパケット交換網であり、動画像受信復号化装置４がＩＴＵ−Ｔ勧告Ｈ．３２３に準拠している場合は、ＲＴＰパケット受信部として構成される。【００４８】
制御情報作成部４３は、動画像符号化送信装置３を制御するための制御コマンド２５２を予め定められた時間間隔或いはフレーム間隔で作成する。また、制御情報作成部４３は、後述する伝送帯域判定部４５により出力された制御情報作成コマンド４６２を使用して、制御コマンド２５２を作成する時間間隔或いはフレーム間隔を変更する。【００４９】
なお、制御情報作成部４３は、例えば、ＩＴＵ−Ｔ勧告Ｈ．２４５準拠で構成される。この場合、制御コマンド２５２としては、例えば、ＩＴＵ−Ｔ勧告Ｈ．２４５で規定されているｖｉｄｅｏＦａｓｔＵｐｄａｔｅメッセージが用いられる。【００５０】
伝送帯域判定部４５は、動画像符号化データ受信部４１により算出された伝送帯域情報４６１を使用して、制御情報作成部４３における制御コマンド２５２の作成時間間隔或いはフレーム間隔を変更するか否かを判定する。前記判定の結果、変更すると判定した場合は、伝送帯域判定部４５は、制御情報作成コマンド４６２を作成する。【００５１】
上記以外の処理部の機能および動作は、上記した本発明の第１の実施例と同様であるため、説明を省略するが、本発明の第２の実施例によれば、伝送帯域に応じた制御情報の作成・送信が行われる。従って、受信符号化ビットストリームに新たな遅延及び損失を発生させることなく、画質のリフレッシュ動作を行わせることが可能となる。【００５２】
なお、上記した本発明の第２の実施例では、伝送帯域判定部４５が、制御コマンド２５２の作成時間間隔或いはフレーム間隔の変更の必要性を判定するものとして、動作するものとして説明したが、上記動作に代えて、伝送帯域判定部４５が、制御コマンド２５２の作成要否を判定し、制御コマンド２５２の作成を指示する制御情報作成コマンド４６２を作成するものとしてもよい。この場合において、制御情報作成部４３が、伝送帯域判定部４５から制御情報作成コマンド４６２を受け取った場合に限り、制御コマンド２５２を作成するものとしてもよい。
【実施例３】
【００５３】
続いて、本発明の第３の実施例について、図１、図２、図５を参照して、詳細に説明する。本発明の第３の実施例は、上記した本発明の第１の実施例と同様のシステム構成であり、以下、第１の実施例と共通する部分は省略し、その相違する部分について説明する。【００５４】
図５は、本発明の第３の実施例に係る動画像符号化送信装置５の詳細な構成を表したブロック図である。図５を参照すると、動画像符号化データ送信部５２は、動画像符号化部３１から受け取った符号化データ３５３を使用して送信符号化ビットストリーム１３１を作成し、伝送路１に送信する。更に、動画像符号化データ送信部５２は、送信した送信符号化ビットストリーム１３１から伝送帯域を算出し、送信帯域情報５６１を出力する。【００５５】
制御情報解析部５４は、制御情報受信部３３から受け取った制御コマンド３５１を復号し、後述する送信帯域判定部５５から符号化制御情報作成コマンド５６２を受け取った場合、動画像符号化部３１に符号化制御情報３５２を出力する。【００５６】
なお、制御情報解析部５４は、例えばＩＴＵ−Ｔ勧告Ｈ．２４５で構成される。この場合、制御コマンド３５１は、例えばＩＴＵ−Ｔ勧告Ｈ．２４５で規定されているｖｉｄｅｏＦａｓｔＵｐｄａｔｅメッセージが用いられる。例えば、制御コマンド３５１がＩＴＵ−Ｔ勧告Ｈ．２４５で規定されているｖｉｄｅｏＦａｓｔＵｐｄａｔｅＰｉｃｔｕｒｅメッセージである場合、符号化制御情報３５２は、動画像符号化部３１にフレーム全体をフレーム内符号化モードで符号化するよう指示する内容となる。【００５７】
送信帯域判定部５５は、動画像符号化データ送信部５２により算出された送信帯域情報５６１を使用して、制御情報解析部５４における符号化制御情報３５２の出力の要否を判定する。前記判定の結果、出力すると判定した場合、送信帯域判定部５５は、制御情報解析部５４に対して符号化制御情報作成コマンド５６２を出力する。【００５８】
上記以外の処理部の機能および動作は、上記した本発明の第１の実施例と同様であるため、説明を省略するが、本発明の第３の実施例によれば、制御情報の受信に加えて、送信した帯域に応じた符号化制御情報の作成・送信が行われる。従って、受信符号化ビットストリームに新たな遅延及び損失を発生させることなく、画質のリフレッシュ動作を行わせることが可能となる。【００５９】
以上本発明の第２、第３の実施例について説明を行ってきたが、上記第２の実施例の動画像受信復号化装置４と（図４参照）、上記第３の実施例の動画像符号化送信装置５とにより、動画像通信システムを構成することも可能である。この場合には、動画像受信復号化装置４が送信する制御情報の送信時間間隔乃至フレーム間隔の初期値を低めに設定しておき、帯域を考慮した動画像受信復号化装置４からの制御情報の送信を行わせるとともに、動画像符号化送信装置５においても帯域を考慮した符号化制御情報の作成が行われるため、効率良く画質のリフレッシュ動作を行わせることが可能となる。
【実施例４】
【００６０】
続いて、本発明の第４の実施例について、図３、図６、図７を参照して、詳細に説明する。図６は、本発明に係る動画像通信システムの別の構成例を表したブロック図である。図６を参照すると、本実施例に係る動画像通信システムは、伝送路１、動画像符号化送信装置３、伝送路間ゲートウェイ７とから構成される。本発明の第４の実施例は、上記した本発明の第１乃至第３の実施例と略同様のシステム構成であり、以下、第１乃至第３の実施例と共通する部分は省略し、その相違する部分について説明する。【００６１】
伝送路間ゲートウェイ７は、伝送路１を介して、動画像符号化送信装置３が送信する送信符号化ビットストリーム１３１に対応する受信符号化ビットストリーム１３２を受信し、伝送路１とは異なる伝送路に再送信符号化ビットストリーム６５１を送信する機能を具備するゲートウェイである。また、伝送路間ゲートウェイ７は、上記した第１乃至第３の実施例で説明した動画像受信復号化装置２と同様、動画像符号化送信装置３を制御する制御コマンドを作成し、伝送路１に送信制御情報１４１を送信する機能も有している。【００６２】
図７は、伝送路間ゲートウェイ７の詳細な構成を表したブロック図である。図７を参照すると、動画像符号化データ送信部７２は、動画像符号化データ受信部２１から受け取った符号化データ２５１を使用して再送信符号化ビットストリーム６５１を作成し、伝送路１とは異なる伝送路に送信する。【００６３】
上記以外の処理部の機能および動作は、上記した本発明の第１の実施例と同様であるため、説明を省略するが、本発明の第４の実施例によれば、図示しない動画像受信復号化装置から動画像符号化送信装置３に送信制御情報を送信することが困難な場合、或いは、図示しない動画像受信復号化装置が送信制御情報の送信機能を具備しない場合であっても、伝送路間ゲートウェイ７から動画像符号化送信装置３に送信制御情報を所定の時間間隔或いはフレーム間隔で送信することが可能となり、動画像符号化送信装置３をして、画質のリフレッシュ動作を行わせることが可能となる。
【実施例５】
【００６４】
続いて、本発明の第５の実施例について、図３、図６、図８を参照して、詳細に説明する。本発明の第５の実施例は、上記した本発明の第１乃至第４の実施例と略同様のシステム構成であり、以下、第１乃至第４の実施例と共通する部分は省略し、その相違する部分について説明する。【００６５】
図８は、本発明の第５の実施例に係る伝送路間ゲートウェイ８の詳細な構成を表したブロック図である。図８の各処理部の機能および動作は、第２の実施例における動画像受信復号化装置（図４参照）及び第４の実施例（図７参照）と同様であるので説明は省略する。【００６６】
上記本発明の第５の実施例によれば、上記した第２の実施例で説明した動画像受信復号化装置と同様、伝送帯域に応じた制御情報の作成・送信が可能となる。従って、上記第４の実施例で説明した伝送路間ゲートウェイ７を含む動画像通信システムに特有の効果に加えて、受信符号化ビットストリームに新たな遅延及び損失を発生させることなく、画質のリフレッシュ動作を行わせることが可能となる。
【実施例６】
【００６７】
以上本発明の第４、第５の実施例について説明を行ってきたが、上記第３の実施例の動画像符号化送信装置５と（図５参照）、上記第４の実施例の伝送路間ゲートウェイ７とにより、動画像通信システムを構成することも可能である。また、同様に、上記第３の実施例の動画像符号化送信装置５と（図５参照）、上記第５の実施例の伝送路間ゲートウェイ８とにより、動画像通信システムを構成することも可能である。この場合には、伝送路間ゲートウェイ７、８が送信する制御情報の送信時間間隔乃至フレーム間隔の初期値を低めに設定しておき、帯域を考慮した伝送路間ゲートウェイ７、８からの制御情報の送信を行わせるとともに、動画像符号化送信装置５においても帯域を考慮した符号化制御情報の作成が行われるため、効率良く画質のリフレッシュ動作を行わせることが可能となる。【００６８】
なお、上記した各実施例で挙げたプロトコル・規格は、本発明の説明のために例示した一例に過ぎず、限定するものではないことは勿論である。本発明の原理からも明らかな通り、伝送路の特徴や動画像通信システムの用途等に応じて、その他のプロトコル・規格が適用可能である。また上記した各実施例では、制御情報として、ＩＴＵ−Ｔ勧告Ｈ．２４５で規定するｖｉｄｅｏＦａｓｔＵｐｄａｔｅメッセージを使用するものとして説明したが、ＩＴＵ−Ｔ勧告Ｈ．２４５で規定する他のメッセージを使用することも可能であり、或いは、各装置がＳＩＰに対応するものであれば、ＲＦＣ３２６１勧告ＳＩＰで規定するメソッド、例えば、ＩＮＦＯメソッドを使用することも可能である。
【図１】
2005071967.tif 000002
【図２】
2005071967.tif 000003
【図３】
2005071967.tif 000004
【図４】
2005071967.tif 000005
【図５】
2005071967.tif 000006
【図６】
2005071967.tif 000007
【図７】
2005071967.tif 000008
【図８】
2005071967.tif 000009
【手続補正書】
【提出日】平成17年5月26日(2005.5.26)
【手続補正１】
【補正対象書類名】特許請求の範囲
【補正対象項目名】全文
【補正方法】変更
【補正の内容】
【書類名】請求の範囲
【請求項１】動画像符号化送信装置により所定の動画像圧縮符号化方式で符号化されたビットストリームを復号する動画像受信復号化装置であって、
伝送エラーによる画質劣化の発生有無に拘わらず、前記動画像符号化送信装置の動作を制御するための制御情報を作成する制御情報作成部と、
前記制御情報を動画像符号化送信装置に送信する制御情報送信部と、
を有することを特徴とする動画像受信復号化装置。
【請求項２】前記制御情報作成部は、前記制御情報を所定の間隔で作成すること、
を特徴とする請求項１に記載の動画像受信復号化装置。
【請求項３】前記制御情報作成部は、前記制御情報として、ＩＴＵ−Ｔ勧告Ｈ．２４５で規定するメッセージを使用すること、
を特徴とする請求項１又は２に記載の動画像受信復号化装置。
【請求項４】前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項１又は２に記載の動画像受信復号化装置。
【請求項５】前記制御情報作成部は、前記制御情報として、ＲＦＣ３２６１勧告ＳＩＰ（ＳｅｓｓｉｏｎＩｎｉｔｉａｔｉｏｎＰｒｏｔｏｃｏｌ）で規定するメソッドを使用すること、
を特徴とする請求項１又は２に記載の動画像受信復号化装置。
【請求項６】前記制御情報作成部は、前記制御情報として、ＲＦＣ３２６１勧告ＳＩＰで規定するＩＮＦＯメソッドを使用すること、
を特徴とする請求項１又は２に記載の動画像受信復号化装置。
【請求項７】映像信号を所定の動画像圧縮符号化方式で符号化してビットストリームを送信する動画像符号化送信装置であって、
前記動画像符号化送信装置の動作を制御するため、伝送エラーによる画質劣化の発生有無に拘わらず生成・送信された制御情報を受信する制御情報受信部と、
前記制御情報を解析して、前記符号化処理を制御するための符号化制御情報を出力する制御情報解析部と、
前記符号化制御情報に基づいて、前記符号化処理を実行する動画像符号化部と
を有することを特徴とする動画像符号化送信装置。
【請求項８】前記動画像符号化部は、
前記符号化制御情報に基づいて、フレームの少なくとも一部をフレーム内符号化モードで符号化すること、
を特徴とする請求項７に記載の動画像符号化送信装置。
【請求項９】前記制御情報解析部は、前記制御情報として、ＩＴＵ−Ｔ勧告Ｈ．２４５で規定するメッセージを解析可能とすること、
を特徴とする請求項７又は８に記載の動画像符号化送信装置。
【請求項１０】前記制御情報解析部は、前記制御情報として、ＩＴＵ−Ｔ勧告Ｈ．２４５で規定するｖｉｄｅｏＦａｓｔＵｐｄａｔｅメッセージを解析可能とすること、
を特徴とする請求項７又は８に記載の動画像符号化送信装置。
【請求項１１】前記制御情報解析部は、前記制御情報として、ＲＦＣ３２６１勧告ＳＩＰで規定するメソッドを解析可能とすること、
を特徴とする請求項７又は８に記載の動画像符号化送信装置。
【請求項１２】前記制御情報解析部は、前記制御情報として、ＲＦＣ３２６１勧告ＳＩＰで規定するＩＮＦＯメソッドを解析可能とすること、
を特徴とする請求項７又は８に記載の動画像符号化送信装置。
【請求項１３】動画像符号化送信装置により所定の動画像圧縮符号化方式で符号化されたビットストリームを復号する動画像受信復号化装置であって、
伝送エラーによる画質劣化の発生有無に拘わらず、前記動画像符号化送信装置の動作を制御するための制御情報を作成する制御情報作成部と、
前記制御情報を動画像符号化送信装置に送信する制御情報送信部と、
前記受信したビットストリームから算出される伝送帯域情報に基づいて、前記制御情報作成部を制御する制御情報作成コマンドを出力する伝送帯域判定部と、
を有することを特徴とする動画像受信復号化装置。
【請求項１４】前記伝送帯域判定部は、前記伝送帯域情報に基づいて、前記制御情報作成部の動作間隔の変更を指示する前記制御情報作成コマンドを出力し、
前記制御情報作成部は、前記制御情報作成コマンドに基づいて、前記制御情報を作成する間隔を変更すること、
を特徴とする請求項１３に記載の動画像受信復号化装置。
【請求項１５】前記伝送帯域判定部は、前記伝送帯域情報に基づいて、前記制御情報作成部の動作開始を指示する前記制御情報作成コマンドを出力し、
前記制御情報作成部は、前記制御情報作成コマンドが入力された場合に限り、前記制御情報を作成すること、
を特徴とする請求項１３に記載の動画像受信復号化装置。
【請求項１６】前記制御情報作成部は、前記制御情報として、ＩＴＵ−Ｔ勧告Ｈ．２４５で規定するメッセージを使用すること、
を特徴とする請求項１３乃至１５いずれか一に記載の動画像受信復号化装置。
【請求項１７】前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項１３乃至１５いずれか一に記載の動画像受信復号化装置。
【請求項１８】前記制御情報作成部は、前記制御情報として、ＲＦＣ３２６１勧告ＳＩＰで規定するメソッドを使用すること、
を特徴とする請求項１３乃至１５いずれか一に記載の動画像受信復号化装置。
【請求項１９】前記制御情報作成部は、前記制御情報として、ＲＦＣ３２６１勧告ＳＩＰで規定するＩＮＦＯメソッドを使用すること、
を特徴とする請求項１３乃至１５いずれか一に記載の動画像受信復号化装置。
【請求項２０】映像信号を所定の動画像圧縮符号化方式で符号化してビットストリームを送信する動画像符号化送信装置であって、
前記動画像符号化送信装置の動作を制御するため、伝送エラーによる画質劣化の発生有無に拘わらず生成・送信された制御情報を受信する制御情報受信部と、
前記制御情報を解析して、前記符号化処理を制御するための符号化制御情報を出力する制御情報解析部と、
前記符号化制御情報に基づいて、前記符号化処理を実行する動画像符号化部と、
前記送信したビットストリームから算出される伝送帯域情報に基づいて、前記制御情報解析部を制御する符号化制御情報作成コマンドを出力する伝送帯域判定部と、
を有することを特徴とする動画像符号化送信装置。
【請求項２１】前記制御情報解析部は、前記符号化制御情報作成コマンドが入力された場合に限り、前記制御情報を解析し、前記符号化制御情報を出力すること、
を特徴とする請求項２０に記載の動画像符号化送信装置。
【請求項２２】前記動画像符号化部は、
前記符号化制御情報に基づいて、フレームの少なくとも一部をフレーム内符号化モードで符号化すること、
を特徴とする請求項２０又は２１に記載の動画像符号化送信装置。
【請求項２３】前記制御情報解析部は、前記制御情報として、ＩＴＵ−Ｔ勧告Ｈ．２４５で規定するメッセージを解析可能とすること、
を特徴とする請求項２０乃至２２いずれか一に記載の動画像符号化送信装置。
【請求項２４】前記制御情報解析部は、前記制御情報として、ＩＴＵ−Ｔ勧告Ｈ．２４５で規定するｖｉｄｅｏＦａｓｔＵｐｄａｔｅメッセージを解析可能とすること、
を特徴とする請求項２０乃至２２いずれか一に記載の動画像符号化送信装置。
【請求項２５】前記制御情報解析部は、前記制御情報として、ＲＦＣ３２６１勧告ＳＩＰで規定するメソッドを解析可能とすること、
を特徴とする請求項２０乃至２２いずれか一に記載の動画像符号化送信装置。
【請求項２６】前記制御情報解析部は、前記制御情報として、ＲＦＣ３２６１勧告ＳＩＰで規定するＩＮＦＯメソッドを解析可能とすること、
を特徴とする請求項２０乃至２２いずれか一に記載の動画像符号化送信装置。
【請求項２７】動画像符号化送信装置により所定の動画像圧縮符号化方式で符号化されたビットストリームが送受信されるネットワーク間を相互接続するゲートウェイであって、
伝送エラーによる画質劣化の発生有無に拘わらず、前記動画像符号化送信装置の動作を制御するための制御情報を作成する制御情報作成部と、
前記制御情報を動画像符号化送信装置に送信する制御情報送信部と、
を有することを特徴とするゲートウェイ。
【請求項２８】前記制御情報作成部は、前記制御情報を所定の間隔で作成すること、
を特徴とする請求項２７に記載のゲートウェイ。
【請求項２９】前記制御情報作成部は、前記制御情報として、ＩＴＵ−Ｔ勧告Ｈ．２４５で規定するメッセージを使用すること、
を特徴とする請求項２７又は２８に記載のゲートウェイ。
【請求項３０】前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項２７又は２８に記載のゲートウェイ。
【請求項３１】前記制御情報作成部は、ＲＦＣ３２６１勧告ＳＩＰで規定するメソッドを使用すること、
を特徴とする請求項２７又は２８に記載のゲートウェイ。
【請求項３２】前記制御情報作成部は、前記制御情報として、ＲＦＣ３２６１勧告ＳＩＰで規定するＩＮＦＯメソッドを使用すること、
を特徴とする請求項２７又は２８に記載のゲートウェイ。
【請求項３３】動画像符号化送信装置により所定の動画像圧縮符号化方式で符号化されたビットストリームが送受信されるネットワーク間を相互接統するゲートウェイであって、
伝送エラーによる画質劣化の発生有無に拘わらず、前記動画像符号化送信装置の動作を制御するための制御情報を作成する制御情報作成部と、
前記制御情報を動画像符号化送信装置に送信する制御情報送信部と、
前記受信したビットストリームから算出される伝送帯域情報に基づいて、前記制御情報作成部を制御する制御情報作成コマンドを出力する伝送帯域判定部と、
を有することを特徴とするゲートウェイ。
【請求項３４】前記伝送帯域判定部は、前記伝送帯域情報に基づいて、前記制御情報作成部の動作間隔の変更を指示する前記制御情報作成コマンドを出力し、
前記制御情報作成部は、前記制御情報作成コマンドに基づいて、前記制御情報を作成する間隔を変更すること、
を特徴とする請求項３３に記載のゲートウェイ。
【請求項３５】前記伝送帯域判定部は、前記伝送帯域情報に基づいて、前記制御情報作成部の動作開始を指示する前記制御情報作成コマンドを出力し、
前記制御情報作成部は、前記制御情報作成コマンドが入力された場合に限り、前記制御情報を作成すること、
を特徴とする請求項３３に記載のゲートウェイ。
【請求項３６】前記制御情報作成部は、前記制御情報として、ＩＴＯ−Ｔ勧告Ｈ．２４５で規定するメッセージを使用すること、
を特徴とする請求項３３乃至３５いずれか一に記載のゲートウェイ。
【請求項３７】前記制御情報作成部は、前記制御情報として、ＩＴＵ−Ｔ勧告Ｈ．２４５で規定するｖｉｄｅｏＦａｓｔＵｐｄａｔｅメッセージを使用すること、
を特徴とする請求項３３乃至３５いずれか一に記載のゲートウェイ。
【請求項３８】前記制御情報作成部は、前記制御情報として、ＲＦＣ３２６１勧告ＳＩＰで規定するメソッドを使用すること、
を特徴とする請求項３３乃至３５いずれか一に記載のゲートウェイ。
【請求項３９】前記制御情報作成部は、前記制御情報として、ＲＦＣ３２６１勧告ＳＩＰで規定するＩＮＦＯメソッドを使用すること、
を特徴とする請求項３３乃至３５いずれか一に記載のゲートウェイ。
【請求項４０】請求項１乃至６、１３乃至１９いずれか一に記載の動画像受信復号化装置と、
請求項７乃至１２、２０乃至２６いずれか一に記載の動画像符号化送信装置と、
を接続してなることを特徴とする動画像通信システム。
【請求項４１】請求項２７乃至３９いずれか一に記載のゲートウェイと、
請求項７乃至１２、２０乃至２６いずれか一に記載の動画像符号化送信装置と、
を含むことを特徴とする動画像通信システム。
【請求項４２】映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、伝送エラーによる画質劣化の発生有無に拘わらず、前記動画像符号化送信装置の動作を制御するための制御情報を作成し、動画像符号化送信装置に対して送信するステップと、
前記動画像符号化送信装置が、前記制御情報を解析して、前記符号化処理を制御するための符号化制御情報を出力し、前記符号化制御情報に基づいて、前記符号化処理を実行するステップと、
前記動画像受信復号化装置が、前記符号化制御情報に基づいて、前記符号化処理されたビットストリームを復号するステップと、を含むこと、
を特徴とする動画像通信方法。
【請求項４３】映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、伝送エラーによる画質劣化の発生有無に拘わらず、前記動画像符号化送信装置の動作を制御するための制御情報を作成し、動画像符号化送信装置に対して送信するステップと、
前記動画像符号化送信装置が、前記制御情報を解析して、前記符号化処理を制御するための符号化制御情報を出力し、前記符号化制御情報に基づいて、前記符号化処理を実行するステップと、
前記動画像受信復号化装置が、前記符号化制御情報に基づいて、前記符号化処理されたビットストリームを復号するとともに、前記受信したビットストリームから算出される伝送帯域情報を、制御情報の作成処理にフィードバックするステップと、を含み、
前記動画像受信復号化装置が、受信帯域に応じた画質のリフレッシュ動作を要求すること、
を特徴とする動画像通信方法。
【請求項４４】映像信号を所定の動画像圧縮符号化方式で符号化してビットストリームを送信する動画像符号化送信装置と、ビットストリームを復号する動画像受信復号化装置の組による動画像通信方法であって、
前記動画像受信復号化装置が、伝送エラーによる画質劣化の発生有無に拘わらず、前記動画像符号化送信装置の動作を制御するための制御情報を作成し、動画像符号化送信装置に対して送信するステップと、
前記動画像符号化送信装置が、前記制御情報を解析して、符号化処理を制御するための符号化制御情報を出力するステップと、
前記動画像符号化送信装置が、前記符号化制御情報と送信したビットストリームから算出される伝送帯域情報に基づいて、前記符号化処理を実行するステップと、
前記動画像受信復号化装置が、前記符号化制御情報に基づいて、前記符号化処理されたビットストリームを復号するステップと、を含み、
前記動画像符号化送信装置が、受信側からの制御情報と送信帯域に応じて画質のリフレッシュ動作を実行すること、
を特徴とする動画像通信方法。
２２／１
【国際調査報告】
2005071967.tif 000010
2005071967.tif 000011
2005071967.tif 000012
2005071967.tif 000013
2005071967.tif 000014
2005071967.tif 000015
2005071967.tif 000016
2005071967.tif 000017
2005071967.tif 000018
2005071967.tif 000019